(57)【特許請求の範囲】
【請求項１】
複数の子機及び外線を収容するとともに、録音再生部を備え、かつ外線を介する発呼者のメッセージを録音再生部に録音するとともに、録音再生部のメッセージを再生して子機へ送出する留守番機能を有するボタン電話装置において、
前記複数の子機は各外線に対応してグループ分けされているとともに、各グループ毎にそれぞれ固有の留守番機能が割り当てられ、
グループ分けされた第１のグループに属するとともに前記第１のグループに割り当てられた留守番機能の制御が可能に設定された指定子機の特定操作を検出する検出手段と、
前記検出手段により前記特定操作が検出されると、前記第１のグループとは異なる第２のグループに割り当てられている留守番機能を制御する制御手段と
を備え、前記留守番機能は、発呼者のメッセージの録音を可能にする留守録モードの設定機能と、前記メッセージの再生を可能にする再生モードの設定機能と、前記メッセージの消去を可能にする消去モードの設定機能とを含み、
前記制御手段は、前記検出手段により前記指定子機の特定操作が検出された後に前記指定子機の所定操作を検出すると、第２のグループの各モード設定のうち前記所定操作に応じたモードを設定することを特徴とするボタン電話装置。
【請求項２】
請求項１において、
前記制御手段は、前記検出手段により前記指定子機の特定操作が検出された後、所定時間この指定子機の無操作が検出されると前記特定操作を無効にすることを特徴とするボタン電話装置。
【請求項３】
複数の子機及び外線を収容するとともに、録音再生部を備え、かつ外線を介する発呼者のメッセージを録音再生部に録音するとともに、録音再生部のメッセージを再生して子機へ送出する留守番機能を有するボタン電話装置において、
前記複数の子機は各外線に対応してグループ分けされているとともに、各グループ毎にそれぞれ固有の留守番機能が割り当てられ、
グループ分けされた第１のグループに属するとともに前記第１のグループに割り当てられた留守番機能の制御が可能に設定された指定子機の特定操作を検出する検出手段と、
前記検出手段により前記特定操作が検出されると、前記第１のグループとは異なる第２のグループに割り当てられている留守番機能を制御する制御手段と
を備え、前記制御手段は、前記検出手段が第１のグループに属する前記指定子機の前記特定操作を検出したときに、第２のグループに属し第２のグループの留守番機能の制御が可能な指定子機が空き状態の場合に第２のグループに割り当てられている留守番機能を制御することを特徴とするボタン電話装置。
【請求項４】
複数の子機及び外線を収容するとともに、録音再生部を備え、かつ外線を介する発呼者のメッセージを録音再生部に録音するとともに、録音再生部のメッセージを再生して子機へ送出する留守番機能を有するボタン電話装置において、
前記複数の子機は各外線に対応してグループ分けされているとともに、各グループ毎にそれぞれ固有の留守番機能が割り当てられ、
グループ分けされた第１のグループに属するとともに前記第１のグループに割り当てられた留守番機能の制御が可能に設定された指定子機の特定操作を検出する検出手段と、
前記検出手段により前記特定操作が検出されると、前記第１のグループとは異なる第２のグループに割り当てられている留守番機能を制御する制御手段と
を備え、前記制御手段は、第２のグループに属し第２のグループの留守番機能の制御が可能な指定子機の特定操作に基づき第１のグループの留守番機能の制御が可能であるとともに、第２のグループの指定子機の特定操作に基づく第１のグループの留守番機能の制御と、第１のグループの指定子機の特定操作に基づく第２のグループの留守番機能の制御とを同時に行わないことを特徴とするボタン電話装置。
【発明の詳細な説明】
【０００１】
【発明の属する技術分野】
本発明は、留守番機能を有するボタン電話装置に関する。
【０００２】
【従来の技術】
この種のボタン電話装置で留守番機能を実現する場合は、ボイスメールと呼ばれる大型の録音再生制御装置を主装置に接続し、主装置は録音再生制御装置への発呼側の用件メッセージの録音及び前記用件メッセージの再生を各子機毎に制御するようにしている。また、規模が小さいボタン電話装置の場合は小規模の録音再生装置を装置に設けて留守番機能を実現している。
【０００３】
ボイスメールを用いて留守番機能を実現するようなボタン電話装置は、システムが大規模であることから、各子機毎に留守番機能の設定を行うことができ、また各子機毎に留守録のセット及び留守録の解除が可能である。また、小規模のボタン電話装置では、留守番機能は指定子機にのみ設定され、その指定子機により留守録のセットや留守録の解除が可能になっている。
【０００４】
一方、このようなボタン電話装置の利用方法として、１つのボタン電話装置を店舗用と家庭用に分けて使用する方法や、１つのボタン電話装置を異なる事務所で使用する方法がある。１つのボタン電話装置を店舗用と家庭用に分けて使用する方法の場合は、公（店舗）と私（家庭）の通話の混在を回避するために、使用する外線や子機を店舗用と家庭用の２つのグループに分け、互いに他のグループにはアクセスできないようにしている。また、１つのボタン電話装置を異なる事務所で使用する方法の場合も、同様に使用する外線や子機をそれぞれ第１及び第２の事務用の各グループに分け、互いに他のグループにはアクセスできないようにしている。これにより、例えば第１の事務所宛の着信が第２の事務所に着信するようなことが防止され、また、第１の事務所における発信通話の料金が第２の事務所に課金されるようなことが防止される。
【０００５】
【発明が解決しようとする課題】
このような従来のボタン電話装置では、使用する外線や子機がグループ分けされている場合、互いに他のグループに対してアクセスできないことから、他のグループに到来した着信に対し自グループから応答することが不可能であるとともに、自グループの子機から他のグループに対する設定等を行うことができず、したがって他のグループの着信応答や前記他のグループに関する設定は、前記他のグループに属する指定子機のみからしか行うことができなかった。
したがって、本発明は、使用する外線及び子機が複数のグループにグループ分けされている場合、他のグループへのアクセスを可能にすることを目的とする。
【０００６】
【課題を解決するための手段】
このような課題を解決するために本発明は、複数の子機及び外線を収容するとともに、録音再生部を備え、かつ外線を介する発呼者のメッセージを録音再生部に録音するとともに、録音再生部のメッセージを再生して子機へ送出する留守番機能を有するボタン電話装置において、複数の子機を各外線に対応してグループ分けするとともに、各グループ毎にそれぞれ固有の留守番機能を割り当て、かつグループ分けされた第１のグループに属するとともに第１のグループに割り当てられた留守番機能の制御が可能な指定子機の特定操作を検出する検出手段と、検出手段により特定操作が検出されると、第１のグループとは異なる第２のグループに割り当てられている留守番機能を制御する制御手段とを設け、留守番機能は、発呼者のメッセージの録音を可能にする留守録モードの設定機能と、メッセージの再生を可能にする再生モードの設定機能と、メッセージの消去を可能にする消去モードの設定機能とを含み、制御手段は、検出手段により指定子機の特定操作が検出された後にこの指定子機の所定操作を検出すると、第２のグループの各モード設定のうち前記所定操作に応じたモードを設定するようにしたものである。
【０００７】
また、制御手段は、検出手段により指定子機の特定操作が検出された後、所定時間この指定子機の無操作が検出されると特定操作を無効にするものである。
また、制御手段は、検出手段が第１のグループに属する指定子機の特定操作を検出したときに、第２のグループに属し第２のグループの留守番機能を制御する指定子機が空き状態の場合に第２のグループに割り当てられている留守番機能を制御するものである。
また、制御手段は、第２のグループに属し第２のグループの留守番機能を制御する指定子機の特定操作に基づいて第１のグループの留守番機能の制御が可能であるとともに、第２のグループの指定子機の特定操作に基づく第１のグループの留守番機能の制御と、第１のグループの指定子機の特定操作に基づく第２のグループの留守番機能の制御とを同時に行わないようにしたものである。
【０００８】
【発明の実施の形態】
以下、本発明について図面を参照して説明する。
図１は、本発明に係るボタン電話装置の構成を示すブロック図である。同図において、１は主装置であり、主装置１には複数の外線３1 〜３n が接続されると共に、複数のボタン電話機（以下、子機）５1 〜５m が各線路４1 〜４m を介して接続されている。
【０００９】
ここで、主装置１は次のように構成されている。即ち、１１1 〜１１n は各外線３1 〜３n とのインタフェースである外線インタフェース、１２は通話路スイッチ、１３1 〜１３m は各子機５1 〜５m とのインタフェースである電話機インタフェース、１４は主装置１の制御を行うＣＰＵ、１５はＣＰＵ１４の実行するプログラムを格納するＲＯＭ、１６はデータを格納するＲＡＭである。また、１７は外線保留時に保留メロディを当該外線へ送出する保留ＩＣ、１８は外線からのＰＢ信号を外線インタフェース１１1 〜１１n 及び通話路スイッチ１２を介して受信するＰＢレシーバ、１９は外線を介する発呼者からの各子機５1 〜５m の利用者宛の用件メッセージを録音するとともに前記メッセージの再生が可能な録音再生部である。
【００１０】
一方、子機５は、主装置１からの通話線５１に接続される通話回路５３、主装置１からの伝送線５２に接続され主装置１とデータ伝送を行う伝送回路５４、子機５の制御を行う制御部５５、ＬＣＤ５６、ランプ５７、ダイヤルキー５８Ａ，代理キー５８Ｂ，録音セットキー５８Ｃ，再生キー５８Ｄ，消去キー５８Ｅ等からなる操作部５８から構成されている。なお、通話回路５３にはスピーカＳＰ及びマイクＭＩＣが接続される。
【００１１】
ここで、子機５でオフフック操作が行われると、制御部５５はフックスイッチＨＳの状態からオフフックを検出しオフフック情報を伝送回路５４へ送出して伝送回路５４から主装置１へ送信させるとともに、続いて操作部５８の図示しない外線キーの操作を検出するとこの操作情報を伝送回路５４から主装置１へ送信させる。主装置１のＣＰＵ１４は、電話機インタフェース１３を介しオフフック情報及び外線キー操作情報を受信すると、この外線キーに対応する外線インタフェース１１を制御し該当外線３を捕捉する。
【００１２】
その後、子機５の操作部５８のダイヤルキー５８Ａが操作されこの操作情報が主装置１へ送信されると、主装置１のＣＰＵ１４では外線インタフェース１１へダイヤル操作情報を送出して捕捉外線３からダイヤル信号として送出させる。このダイヤル信号の送出により相手の呼出が行われ、相手が呼出に応答すると通話路スイッチ１２を制御して該当外線３と該当子機５との間の通話路を閉結する。これにより、子機５の外線発信通話が開始される。
【００１３】
また、外線３に着信が到来すると、ＣＰＵ１４は外線インタフェース１１を介してその着信を検出し、電話機インタフェース１３から各子機へ着信データを送信させる。これにより、各子機では図示しないブザーが着信鳴動するとともに、ランプ５７中の該当外線ランプが着信表示する。ここで、着信表示中の外線ランプに応じた外線キーが押下されると、この外線キー操作情報が同様に主装置１へ送信され、主装置１のＣＰＵ１４は、該当外線インタフェース１１を制御して着信中の外線３を捕捉させるとともに、通話路スイッチ１２を制御して該当外線３と応答した子機５との間の通話路を閉結する。これにより、子機５の着信応答通話が行われる。
【００１４】
このようなボタン電話装置は、外線３1 〜３n 及び子機５1 〜５m を複数のグループにグループ分けし、各グループに割り当てられた外線を同一グループの子機で使用するようなことが可能である。また、録音再生部１９の各エリアを各グループ毎に独立に使用することも可能である。即ち、こうしたボタン電話装置を例えば店舗併用住宅に配設した場合、第１及び第２のグループの２つに分け、第１のグループを店舗用とし、第２のグループを家庭用としてそれぞれ使用することが可能である。
【００１５】
ここで、説明を簡略化するために、主装置１に収容される外線を、外線３1 と３n とし、子機を子機５1 と５m とする。このようにした場合、例えば店舗用として外線３1 と子機５1 とを割り当てたとすると、外線３n と子機５m とが家庭用に割り当てられる。この場合、主装置１のＣＰＵ１４は、店舗用の子機５1 の外線発信時には外線３1 のみが使用可能に制御し、家庭用の子機５m の外線発信時には外線３n のみが使用可能に制御する。また、発呼者が店舗用に割り当てられた電話番号を発呼した場合にはその発呼に基づく着信は店舗の外線３1 に到来し、この場合、ＣＰＵ１４は店舗の子機５1 のみを呼出すように制御するとともに、発呼者が家庭用に割り当てられた電話番号を発呼した場合にはその発呼に基づく着信は家庭の外線３n に到来し、この場合ＣＰＵ１４は家庭の子機５m のみを呼出すように制御する。
【００１６】
さらに、主装置１のＣＰＵ１４は、録音再生部１９を利用した留守番機能を店舗と家庭とに割り当てる場合、子機５1 を店舗の留守番機能の制御が可能な子機（以下、留守Ａ指定子機）として設定するとともに、子機５m を家庭の留守番機能の制御が可能な子機（以下、留守Ｂ指定子機）として設定する。そして、留守Ａ指定子機５1 が留守録セットを行うと留守Ａ指定子機５1 が留守録モードに設定される。こうした状況において、発呼者が店舗用に割り当てられた電話番号を発呼することにより店舗の外線３1 に着信が到来すると、ＣＰＵ１４は外線インタフェース１１1 を制御して外線３1 を捕捉し着信に応答するとともに、通話路スイッチ１２を制御して録音再生部１９と外線３1 間の通話路を閉結し、かつ録音再生部１９を制御して録音再生部１９から外線３1 を介し発呼者側へ応答メッセージを送出させる。そしてその応答メッセージの送出後に録音再生部１９を制御し発呼者の用件メッセージを録音再生部１９内の店舗用エリアに録音させる。
【００１７】
その後、留守Ａ指定子機５1 において、再生操作が行われると、ＣＰＵ１４は、通話路スイッチ１２を制御して留守Ａ指定子機５1 と録音再生部１９間の通話路を閉結し、かつ録音再生部１９を制御して店舗用のエリアに録音されている用件メッセージ（即ち、留守Ａ指定子機５1 向けの用件メッセージ）を再生させ、留守Ａ指定子機５1 へ送出させてスピーカＳＰから放出させる。
【００１８】
一方、留守Ｂ指定子機５m が留守録セットを行うと、留守Ｂ指定子機５m が留守録モードに設定される。このような状況において、発呼者が家庭用に割り当てられた電話番号を発呼することにより、家庭の外線３n に着信が到来すると、ＣＰＵ１４は外線インタフェース１１n を制御して外線３n を捕捉し着信に応答するとともに、通話路スイッチ１２を制御して録音再生部１９と外線３n 間の通話路を閉結し、かつ録音再生部１９を制御して録音再生部１９から外線３n を介して発呼者側へ応答メッセージを送出させる。そして、その応答メッセージの送出後に録音再生部１９を制御し発呼者の用件メッセージを録音再生部１９内の家庭に割り当てられたエリアに録音させる。
【００１９】
その後、留守Ｂ指定子機５m において、再生操作が行われると、ＣＰＵ１４は、通話路スイッチ１２を制御して留守Ｂ指定子機５m と録音再生部１９間の通話路を閉結し、かつ録音再生部１９を制御して家庭に割り当てられたエリアに録音されている用件メッセージ（即ち、留守Ｂ指定子機５m 向けの用件メッセージ）を再生させ留守Ｂ指定子機５m へ送出させてスピーカＳＰから放出させる。
【００２０】
主装置１のＣＰＵ１４は、各外線及び各子機がそれぞれ店舗と家庭とにグループ分けされ、かつ留守番機能が店舗と家庭とに割り当てられている場合、以上のような録音再生制御を行う他に、例えば店舗用として設定された留守Ａ指定子機５1 による前述の留守番機能を、家庭用として設定された留守Ｂ指定子機５m により代理させるように制御することも可能である。
【００２１】
図２及び図３は主装置１のＣＰＵ１４の動作を示すフローチャートであり、家庭の留守Ｂ指定子機５m が店舗の留守Ａ指定子機５1 の留守番機能を代理する場合の動作を示すものである。
まず、図２のフローチャートに示す動作から説明する。
家庭の留守Ｂ指定子機５m において、操作部５８の代理キー５８Ｂが操作されると、このキー操作情報が主装置側へ伝送される。主装置１のＣＰＵ１４はステップＳ１の代理キー入力チェック処理においてこれを検出し、ステップＳ２の「代理キー入力あり」が「Ｙ」となる。
【００２２】
この場合、ＣＰＵ１４は代理キー５８Ｂを操作した子機が家庭の留守Ｂ指定子機５m か否かをステップＳ３で判断し、他の子機の場合はステップＳ１へ戻り、留守Ｂ指定子機５m の場合はステップＳ４へ移行する。ステップＳ４では店舗の留守Ａ指定子機５1 が空き状態か否かを判断し、空き状態ではない場合はステップＳ１へ戻り、空き状態の場合はステップＳ５で留守Ｂ指定子機５m へランプ点灯データを送信してランプ５７内の代理キーに相当するランプを点灯させる。
その後、ステップＳ６で留守Ｂ指定子機５m のＬＣＤ５６に「ルスロク」等を表示させ、かつステップＳ７でタイマ１４Ａ（無操作タイマ；２０秒タイマ）をスタートさせた後、留守Ｂ指定子機５m を代理モードに設定する。
【００２３】
なお、代理キー５８Ｂが操作されずにステップＳ２の判定が「Ｎ」となる場合は、例えば録音セットキー５８Ｃのような通常の録音に係るキーが操作されたか否かをステップＳ８で判断し、録音セットキー５８Ｃが操作された場合はステップＳ９で留守Ｂ指定子機５m を通常録音モード（留守録モード）とした後、処理を終了する。また、上記以外の他のキーが操作された場合はステップＳ１０でその他の処理を行った後、処理を終了する。
【００２４】
以上のようにして、代理モードに設定された留守Ｂ指定子機５m において、タイマ１４Ａのタイムアップ以内に操作部５８のキー等が操作されると、主装置１のＣＰＵ１４は図３のステップＳ１２の「イベントあり」を「Ｙ」と判定する。この場合、ＣＰＵ１４は、操作されたキーが録音セットキー５８Ｃか否かをステップＳ１３で判断し、録音セットキー５８Ｃの場合はステップＳ１４で留守Ａ指定子機５1 が留守録セット中か否かを判断する。そして、留守録セット中であれば、ステップＳ１６で留守Ａ指定子機５1 の留守録モードを解除する一方、留守録セット中でなければ、ステップＳ１５で留守Ａ指定子機５1 の留守録セットを行い留守録モードに設定する。その後、ステップＳ１７で無操作タイマ１４Ａをスタートさせ、ステップＳ１１へ戻る。
【００２５】
このように、家庭用としての留守Ｂ指定子機５m に、店舗用の留守Ａ指定子機５1 の留守番機能を代理させる代理モードの設定を可能にするとともに、代理モードの留守Ｂ指定子機５m により留守Ａ指定子機５1 の留守録セット及びその解除を行わせるようにしたことにより、例えば店舗での仕事が終了して帰宅した時に店舗の子機５1 の留守録セットのし忘れに気づいたような場合は、家庭の子機５m により留守録セットを行うことができる。このため、再び店舗へ戻って店舗の子機５1 による留守録セットを行うようなことが回避され、使い勝手が向上する。
【００２６】
こうして、代理モードの留守Ｂ指定子機５m により留守Ａ指定子機５1 の留守録セットが行われた後に、発呼者が店舗に割り当てられた電話番号を発呼することにより、店舗の外線３1 に着信が到来すると、ＣＰＵ１４は前述したように外線着信に自動応答し、発呼者側の用件メッセージを録音再生部１９の店舗用エリアに録音する。ここで、代理モードの留守Ｂ指定子機５m において再生キー５８Ｄが操作されると、ステップＳ１８の「再生キー」の判定が「Ｙ」となる。この場合、ＣＰＵ１４はステップＳ１９で録音再生部１９に留守Ａ指定子機５1 向けの用件メッセージが録音されているか否かを判断する。
【００２７】
ここで、録音再生部１９の店舗用エリアに用件メッセージが録音されていれば、ＣＰＵ１４は留守Ａ指定子機５1 向けの用件メッセージが録音されていると判断して再生モードを設定し、ステップＳ２０で通話路スイッチ１２を制御して、留守Ｂ指定子機５m と録音再生部１９間の通話路を閉結するとともに、録音再生部１９を制御して店舗用エリアに録音されている用件メッセージ（即ち、留守Ａ指定子機５1 向けの用件メッセージ）を再生させ、留守Ｂ指定子機５m へ送出させる再生処理を開始する。そして、全ての用件メッセージの再生が終了するとステップＳ２１の再生終了となり、ステップＳ１７へ移行して無操作タイマ１４Ａをスタートさせた後、ステップＳ１１へ戻る。なお、代理モードの留守Ｂ指定子機５m において再生キー５８Ｄが操作されたときに、録音再生部１９に留守Ａ指定子機５1 向けの用件メッセージが録音されていない場合は、ステップＳ１７で無操作タイマ１４Ａをスタートさせた後、ステップＳ１１へ戻る。
このように、店舗が休日などの時に、発呼者から店舗の留守Ａ指定子機５1 宛へ通知された用件メッセージを家庭の留守Ｂ指定子機５m で聞くことができる。
【００２８】
次に、代理モードの留守Ｂ指定子機５m において消去キー５８Ｅが操作されると、ステップＳ２２の「消去キー」の判定が「Ｙ」となり、この場合、ＣＰＵ１４は、ステップＳ２３で録音再生部１９に留守Ａ指定子機５1 向けの用件メッセージが録音されているか否かを同様に判断する。そして、留守Ａ指定子機５1 向けの用件メッセージが録音されていれば消去モードを設定しステップＳ２４でこの用件メッセージを消去するとともに、ステップＳ１７へ移行して無操作タイマ１４Ａをスタートさせた後、ステップＳ１１へ戻る。なお、代理モードの留守Ｂ指定子機５m において消去キー５８Ｅが操作されたときに、録音再生部１９に留守Ａ指定子機５1 向けの用件メッセージが録音されていない場合は、ステップＳ１７で無操作タイマ１４Ａをスタートさせた後、ステップＳ１１へ戻る。
【００２９】
このように、代理モードに設定された家庭の留守Ｂ指定子機５m は、店舗の留守Ａ指定子機５1 と同様の操作で、店舗の留守Ａ指定子機５1 の留守録セット，留守録解除，用件メッセージの再生及び消去を行うことができる。
ここで、代理モードの留守Ｂ指定子機５m に対して内線着信や外線着信があり、ステップＳ２５の判定が「Ｙ」となる場合は、主装置１のＣＰＵ１４は、留守Ｂ指定子機５m により着信応答操作が行われたとしてもステップＳ２６でこうした応答操作を無視し、ステップＳ１１へ戻る。
【００３０】
また、代理モードの留守Ｂ指定子機５m において、操作されたキーが上記のキー何れでもないと判断されたときには、この操作キーは代理キー５８Ｂであると判定され（ステップＳ２７）、この場合は、留守Ｂ指定子機５m の代理モードが解除される。即ち、ステップＳ２８で、留守Ｂ指定子機５m のランプ５７内の代理キーに相当するランプを消灯し、ステップＳ２９で代理モードを解除するとともに、留守Ｂ指定子機５m のＬＣＤ５６に表示されている「ルスロク」等の表示をステップＳ３０で消去する。また、ステップＳ３１で無操作タイマ１４Ａをストップさせる。これにより、留守Ｂ指定子機５m の代理モードは終了となる。
なお、代理モードに設定された留守Ｂ指定子機５m において、２０秒間何の操作も行われない場合は無操作タイマ１４ＡがタイムアップしステップＳ１１の判定が「Ｙ」となる。この場合は、前述したステップＳ２８以降の処理を行って、留守Ｂ指定子機５m の代理モードを解除する。
【００３１】
本実施の形態では、説明を簡単にするために、店舗用として外線３1 と子機５1 とを割り当て、家庭用として外線３n と子機５m とを割り当てた例について説明したが、店舗及び家庭にそれぞれ複数の子機を割り当てるとともに、店舗に割り当てられた各子機の１つを留守Ａ指定子機として設定し、家庭に割り当てられた各子機の１つを留守Ｂ指定子機として設定しても良い。この場合、留守Ａ指定子機及び留守Ｂ指定子機にのみそれぞれ代理キー５８Ｂを割り付け、他の子機には代理キーを割り付けしないようにする。そして、家庭の留守Ｂ指定子機が代理キーを操作することにより代理モードになり、店舗の留守Ａ指定子機の留守番機能の制御を代理で実行することができる。また、店舗の留守Ａ指定子機が代理キーを操作することにより代理モードになり、家庭の留守Ｂ指定子機の留守番機能の制御を代理で実行することも可能である。しかし、留守Ａ指定子機及び留守Ｂ指定子機が同時に代理モードになることはできない。
【００３２】
また、本実施の形態では、代理モード中の留守Ｂ指定子機５m の２０秒間の無操作及び代理キーの押下により留守Ｂ指定子機５m の代理モードを解除しているが、この他に、留守Ａ指定子機５1 の留守録セット操作等により留守Ｂ指定子機５m の代理モードを解除する。また、店舗用の外線３1 の着信に自動応答したときに留守Ｂ指定子機５m の代理モードを解除する。
また、留守Ｂ指定子機５m の代理モードを解除する場合、１操作単位で解除することにより代理状態を保持し続けることを防止することができる。即ち、留守Ｂ指定子機５m が代理キーを操作することにより代理モードになった後、例えば録音セットキーを操作して留守Ａ指定子機５1 に留守録セットを行った後に、留守Ｂ指定子機５m の代理モードを解除することもできる。
【００３３】
【発明の効果】
以上説明したように本発明によれば、複数の子機及び外線を収容するとともに、留守番機能を有するボタン電話装置において、複数の子機を各外線に対応してグループ分けするとともに、各グループ毎にそれぞれ固有の留守番機能を割り当て、かつグループ分けされた第１のグループに属し第１のグループの留守番機能の制御が可能な指定子機の特定操作を検出すると、第２のグループの留守番機能を制御するようにしたので、使用する外線及び子機が複数のグループにグループ分けされている場合、他のグループに割り当てられている留守番機能をアクセスして制御することができる。
また、留守番機能として、発呼者のメッセージの録音を可能にする留守録モードの設定機能と、メッセージの再生を可能にする再生モードの設定機能と、メッセージの消去を可能にする消去モードの設定機能とを設け、第１のグループの指定子機の特定操作が検出された後にこの指定子機の所定操作を検出すると、第２のグループの各モード設定のうち前記所定操作に応じたモードを設定するようにしたので、複数の外線及び子機が例えば店舗用と家庭用とにグループ分けされている場合、店舗での仕事が終了して帰宅した時に店舗の子機の留守録モード設定のし忘れに気づいたような場合は、家庭の子機により店舗の子機を留守録モードに設定することができる。このため、再び店舗へ戻って店舗の子機の操作に基づく留守録モードを行うようなことが回避され、使い勝手が向上する。
【００３４】
また、指定子機の特定操作が検出された後、所定時間この指定子機の無操作が検出されると前記指定子機の特定操作を無効にするようにしたので、他のグループに対する永続的なアクセスを防止できる。
また、第１のグループに属する指定子機の特定操作を検出した場合は、第２のグループに属する指定子機が空き状態のときにのみ第２のグループに割り当てられている留守番機能を制御するようにしたので、グループの異なる各指定子機が同一グループの留守番機能を同時に制御することに起因する混乱を防止できる。また、第２のグループの指定子機の特定操作に基づく第１のグループの留守番機能の制御と、第１のグループの指定子機の特定操作に基づく第２のグループの留守番機能の制御とを同時に行わないようにしたので、グループの異なる各指定子機が互いに他のグループの留守番機能を同時にアクセスして制御することによる混乱を防止できる。
【図面の簡単な説明】
【図１】  本発明に係るボタン電話装置の構成を示すブロック図である。
【図２】  ボタン電話装置の要部動作を示すフローチャートである。
【図３】  ボタン電話装置の要部動作を示すフローチャートである。
【符号の説明】
１…主装置、３1 〜３n …外線、５1 〜５m …ボタン電話機（子機）、１１1 〜１１n …外線インタフェース、１２…通話路スイッチ、１３1 〜１３m …電話機インタフェース、１４…ＣＰＵ、１４Ａ…タイマ、１９…録音再生部、５３…通話回路、５４…伝送回路、５５…制御部、５６…ＬＣＤ、５７…ランプ、５８…操作部、５８Ａ…ダイヤルキー、５８Ｂ…代理キー、５８Ｃ…録音セットキー、５８Ｄ…再生キー、５８Ｅ…消去キー。
【図１】
0003796649.tif 000002
【図２】
0003796649.tif 000003
【図３】
0003796649.tif 000004